【手続補正書】
【提出日】令和1年7月1日(2019.7.1)
【手続補正１】
【補正対象書類名】特許請求の範囲
【補正対象項目名】全文
【補正方法】変更
【補正の内容】
【特許請求の範囲】
【請求項１】
遠隔虚血コンディショニング（ＲＩＣ）のためのデバイスであって、
対象の肢を取り囲むように構成されている膨張可能なカフと、
前記対象に対して遠隔虚血コンディショニングを実施するように、前記膨張可能なカフを動作させるコントローラと、を備え、
前記膨張可能なカフは、
治療プロトコルに従って、前記膨張可能なカフを動作させて前記対象に対して遠隔虚血コンディショニングを実施するように前記コントローラを設定する前記コントローラのための構成の設定を示す第１のデータを格納する少なくとも１つの記憶媒体をさらに含み、
前記コントローラは、
少なくとも１つのトランシーバと、
前記少なくとも１つのトランシーバを介して、前記膨張可能なカフの少なくとも１つの記憶媒体に格納され且つ前記構成の設定を示す第１のデータを受信することに応答して、前記治療プロトコルに従って、前記膨張可能なカフを動作させるように、前記構成の設定に従って、前記コントローラを設定するように構成されている少なくとも１つの制御回路と、をさらに含む、デバイス。
【請求項２】
前記コントローラは、
デフォルトの治療プロトコルに従って、前記対象に対して遠隔虚血コンディショニングを実施するように、前記膨張可能なカフを動作させる前記コントローラを設定する前記コントローラのためのデフォルトの構成の設定を示す第２のデータを格納する第２の記憶媒体をさらに含み、
前記コントローラの少なくとも１つの制御回路は、
前記膨張可能なカフの少なくとも１つの第１のトランシーバから前記第１のデータを受信しないことに応答して、前記デフォルトの治療プロトコルに従って、前記膨張可能なカフを動作させるように、前記デフォルトの構成の設定に従って、前記コントローラを設定するようにさらに構成されている、請求項１に記載のデバイス。
【請求項３】
前記膨張可能なカフは、
少なくとも前記コントローラのための構成の設定を前記コントローラに送信する少なくとも１つの第２のトランシーバをさらに含む、請求項１に記載のデバイス。
【請求項４】
前記膨張可能なカフの少なくとも１つの記憶媒体は、
前記膨張可能なカフの以前の使用を示す第２のデータと、前記カフの使用を規制する１つ以上の使用制限を示す第３のデータと、をさらに格納し、
前記コントローラの少なくとも１つの制御回路は、
前記膨張可能なカフからの使用制限の受信に応じて、前記膨張可能なカフの以前の使用および前記１つ以上の使用制限を評価して、前記膨張可能なカフを前記１つ以上の使用制限に従って使用することができるかどうか判定すること、
前記膨張可能なカフを前記１つ以上の使用制限に従って使用することができないとの判定に応答して、エラーメッセージを出力すること、を行うようにさらに構成されている、請求項１に記載のデバイス。
【請求項５】
遠隔虚血コンディショニング（ＲＩＣ）デバイスのコントローラを設定する方法であって、
前記遠隔虚血コンディショニングデバイスの膨張可能なカフが、前記膨張可能なカフの少なくとも１つの記憶媒体に格納され、治療プロトコルに従って前記膨張可能なカフを動作させて対象に対して遠隔虚血コンディショニングを実施するように前記コントローラを設定する前記コントローラのための構成の設定を示すデータを送信するように要求すること、
前記構成の設定を示す前記データの受信に応答して、
前記治療プロトコルに従って、前記膨張可能なカフを動作させるように、前記構成の設定に従って、前記コントローラを設定すること、
前記治療プロトコルに従って、前記膨張可能なカフを動作させること、
前記構成の設定を示すデータの受信の失敗に応答して、
デフォルトの治療プロトコルに従って、前記膨張可能なカフを動作させるように、デフォルトの構成の設定に従って、前記コントローラを設定すること、
前記デフォルトの治療プロトコルに従って、前記膨張可能なカフを動作させること、を備える方法。
【請求項６】
前記要求することおよび前記受信することは、
近距離無線通信（ＮＦＣ）プロトコルを介して、１つ以上の伝送を前記膨張可能なカフと交換することを含む、請求項５に記載の方法。
【請求項７】
遠隔虚血コンディショニング（ＲＩＣ）用のデバイスを設定するためのシステムであって、
対象の肢を取り囲むように構成されている膨張可能なカフと、
前記膨張可能なカフと電子的に通信し、前記膨張可能なカフを特定の治療プロトコルにより動作するように設定するコンピューティングデバイスと、を含み、
前記膨張可能なカフは、
少なくとも１つの第１の記憶媒体と、
少なくとも１つの第１のトランシーバと、をさらに含み、
前記コンピューティングデバイスは、
治療プロトコルに従って前記膨張可能なカフを動作させて前記対象に対して遠隔虚血コンディショニングを実施するように遠隔虚血コンディショニングデバイスのコントローラを設定する構成の設定を格納している少なくとも１つの第２の記憶媒体と、
少なくとも１つの第２のトランシーバと、
前記コンピューティングデバイスの少なくとも１つの第２のトランシーバを介して、前記膨張可能なカフの少なくとも１つの第１のトランシーバと通信するように構成されている少なくとも１つの制御回路と、をさらに含み、
前記膨張可能なカフの少なくとも１つの第１のトランシーバと通信することは、
前記少なくとも１つの第２の記憶媒体に格納されている構成の設定を前記膨張可能なカフに送信して前記少なくとも１つの第１の記憶媒体に格納することを含む、システム。
【請求項８】
前記少なくとも１つの第１のトランシーバは、第１の近距離無線通信（ＮＦＣ）トランシーバであり、
前記少なくとも１つの第２のトランシーバは、第２の近距離無線通信トランシーバであり、
前記構成の設定を前記膨張可能なカフに送信することは、
１つ以上の近距離無線通信メッセージにおいて前記構成の設定を送信することを含む、請求項７に記載のシステム。
【請求項９】
前記コンピューティングデバイスは、モバイルデバイスである、請求項８に記載のシステム。
【請求項１０】
前記コンピューティングデバイスは、遠隔虚血コンディショニングデバイスのコントローラのための充電ステーションであり、前記充電ステーションは、前記コントローラに電力を提供するための電力分配器をさらに含む、請求項８に記載のシステム。
【請求項１１】
前記少なくとも１つの第１のトランシーバは、第１の無線トランシーバであり、
前記少なくとも１つの第２のトランシーバは、第２の無線トランシーバである、請求項７に記載のシステム。
【請求項１２】
前記少なくとも１つの第１の記憶媒体は、前記カフの動作についての第１の使用制限を格納し、
前記少なくとも１つの制御回路は、
前記コンピューティングデバイスの少なくとも１つの第２のトランシーバを介して、前記膨張可能なカフの少なくとも１つの第１のトランシーバと通信して、第２の使用制限を、前記少なくとも１つの第１の記憶媒体に格納するように構成されている、請求項７に記載のシステム。
【請求項１３】
前記第１の使用制限は、前記膨張可能なカフが使用されることを許可される第１の治療回数であり、
前記少なくとも１つの制御回路は、
前記少なくとも１つの第１のトランシーバと通信して、前記少なくとも１つの第１の記憶媒体に第２の使用制限を格納して、前記膨張可能なカフが使用されることを許可される第２の治療回数を、前記少なくとも１つの第１の記憶媒体に格納するように構成され、
前記第２の治療回数は、前記第１の治療回数より多い、請求項１２に記載のシステム。
【請求項１４】
前記少なくとも１つの制御回路は、
増加した治療回数で前記膨張可能なカフを使用するための支払いを処理することに応答して、前記少なくとも１つの第１のトランシーバと通信して、前記第２の使用制限を格納するように構成されている、請求項１３に記載のシステム。
【請求項１５】
前記膨張可能なカフの少なくとも１つの第１の記憶媒体は、前記膨張可能なカフの以前の使用を示す第１のデータを格納し、
前記少なくとも１つの制御回路は、
前記少なくとも１つの第１のトランシーバおよび前記少なくとも１つの第２のトランシーバを介して、以前の使用を示す前記第１のデータを、前記膨張可能なカフから受信することに応答して、前記膨張可能なカフの以前の使用が、前記膨張可能なカフの予測された使用に準拠しているかどうかを判定すること、
以前の使用が、前記予測された使用に準拠していないと判定することに応答して、エラーメッセージを出力すること、を行うように構成されている、請求項７に記載のシステム。
【請求項１６】
対象の肢を取り囲むように構成され、前記膨張可能なカフに取り付けられたスリーブをさらに備える請求項７に記載のシステム。